(57)【要約】      （修正有）【課題】スリットが紛体により塞がるとことがなく、排出口から放出される紛体の量が一定で、引かれたラインに凹凸が生じることのない屋外の運動場や競技場の地面にラインを引くための装置を提供する。【解決手段】石灰などの紛体を充填するための閉鎖可能な開口部と、該紛体を放出するための放出口とを有する紛体を収容するための容器と、車軸５の両端に着脱可能に設けられた車輪６と、容器の放出口から紛体を放出するための羽根車７とを備えた屋外の運動場の地面にラインを引くための装置であって、羽根車が、車軸に同軸状に固定された円柱体と、該円柱体の外周に設けられた複数の羽根とからなり、複数の羽根が、円柱体の外周に互いに離間して設けられた複数の羽根列からなり、複数の羽根列がそれぞれ円周状に設けられた複数の羽根からなり、各羽根列の羽根のうち１つの羽根の先端がスリットから容器の外に突出し、放出口が容器の側部に設けられてなる。【選択図】図４
0003109884.tif 000002
【実用新案登録請求の範囲】
【請求項１】
石灰などの紛体を充填するための閉鎖可能な開口部と、該紛体を放出するための複数のスリットからなる放出口とを有する該該紛体を収容するための容器と、
前記容器の下部を貫く車軸の両端に着脱可能に設けられた車輪と、
前記容器の放出口から紛体を放出するための羽根車と
を備えた屋外の運動場や競技場の地面にラインを引くための装置であって、
前記羽根車が、前記車軸に同軸状に固定された円柱体と、該円柱体の外周に設けられた複数の羽根とからなり、前記複数の羽根が、円柱体の外周に互いに離間して設けられた複数の羽根列からなり、当該複数の羽根列がそれぞれ円周状に設けられた複数の羽根からなり、
当該複数の羽根列の各羽根列の羽根のうち１つの羽根の先端が前記スリットから容器の外に突出し、
前記放出口が容器の側部に設けられてなる
ことを特徴とする装置。
【請求項２】
前記複数の羽根列の各羽根列の軸方向の位置と前記複数のスリットの各スリットの位置とが一致してなる請求項１記載の装置。
【請求項３】
前記車輪のほかにさらに少なくとも１つの車輪を有する請求項１または２記載の装置。
【考案の詳細な説明】
【技術分野】
【０００１】
本考案はラインを引くための装置に関する。さらに詳しくは、容器の下部を貫く車軸の両端に着脱可能に設けられた車輪と、容器の放出口から紛体を放出するための羽根車とを備えた屋外の運動場や競技場の地面にラインを引くための装置に関する。
【背景技術】
【０００２】
屋外の運動場や競技場に石灰などの紛体によりラインを引くための装置（以下、単に「装置」という）は、たとえば特許文献１に開示されている。
【０００３】
特許文献１に開示された装置は、着脱可能な紛体排出用ブラシ体を有する直径３０ｍｍの前部大型車輪と、その車軸を下方から支える取り外し可能な排出部に、紛体排出用削り落し爪刃と、ブラシ清掃用爪を有する半開口排出口と、排出口を囲む角防風、泥よけスカートを一体構造で備えている。
【０００４】
【特許文献１】実用新案登録第３０８８０１３号明細書
【考案の開示】
【考案が解決しようとする課題】
【０００５】
特許文献１に開示された装置の場合、スリット（開口部）が紛体により塞がるという欠点がある。また、排出口から放出される紛体の量が一定ではないため、引かれたラインに凹凸が生じるという欠点もある。
【０００６】
本考案は、スリット（開口部）が紛体により塞がるとことがなく、排出口から放出される紛体の量が一定で、引かれたラインに凹凸が生じることのない屋外の運動場や競技場の地面にラインを引くための装置を提供することである。
【課題を解決するための手段】
【０００７】
本考案の屋外の運動場や競技場の地面にラインを引くための装置は、石灰などの紛体を充填するための閉鎖可能な開口部と、該紛体を放出するための複数のスリットからなる放出口とを有する該該紛体を収容するための容器と、
前記容器の下部を貫く車軸の両端に着脱可能に設けられた車輪と、
前記容器の放出口から紛体を放出するための羽根車と
を備え、
前記羽根車が、前記車軸に同軸状に固定された円柱体と、該円柱体の外周に設けられた複数の羽根とからなり、前記複数の羽根が、円柱体の外周に互いに離間して設けられた複数の羽根列からなり、当該複数の羽根列がそれぞれ円周状に設けられた複数の羽根からなり、
当該複数の羽根列の各羽根列の羽根のうち１つの羽根の先端が前記スリットから容器の外に突出し、
前記放出口が容器の側部に設けられてなる
ことを特徴としている。
【０００８】
また、前記複数の羽根列の各羽根列の軸方向の位置と前記複数のスリットの各スリットの位置とが一致してなることが好ましい。
【０００９】
また、前記車輪のほかにさらに少なくとも１つの車輪を有することもできる。
【考案の効果】
【００１０】
本考案によれば、スリット（開口部）が紛体により塞がるとことがなく、排出口から放出される紛体の量が一定で、引かれたラインに凹凸が生じることのない屋外の運動場や競技場の地面にラインを引くための装置を提供することができる。
【考案を実施するための最良の形態】
【００１１】
本考案の実施の形態にかかわる屋外の運動場や競技場の地面にラインを引くための装置（以下、「装置」という）を添付図面を参照しながら以下に詳細に説明する。
【００１２】
図１は本考案の一実施の形態にかかわる装置を示す斜視図、図２は図１の装置の断面説明図、図３は本考案の他の実施の形態にかかわる装置を示す斜視図、図４は図３の装置の断面説明図、図５は図１および図３の装置の支持構造体を示す側断面説明図、図６は図５の支持構造体の上面説明図、図７は図１および図３の装置の羽根車の一例を示す斜視図、図８は図７の羽根車の側面説明図、図９は図１および図３の装置の羽根車の他の例を示す側面説明図、図１０は図１および図３の装置の羽根車の他の例の構造を示す上面説明図、図１１は図１０の羽根車の側面説明図、図１２は車軸の断面構造の一例を示す説明図である。
【００１３】
図１〜１１を参照すると、本実施の形態の装置１は、石灰などの紛体を充填するための閉鎖可能な開口部２と、紛体を放出するための複数のスリット３ａ、３ｂ、３ｃ…からなる放出口４とを有する紛体を収容するための容器１０と、容器１０の下部を貫く車軸５の両端に着脱可能に設けられた車輪６と、容器１０の放出口４から紛体を放出するための羽根車７とから構成されている。車輪６は、羽根車７を駆動する駆動輪として機能する。
【００１４】
図５および６を参照すると、参照符号１１は装置１の支持構造体を示しており、参照符号１２は支持フレームを示している。支持構造体１１は、容器１０の下部に螺着、接着または熱融着などの従来より知られた固着手段により固着される。容器１０の内部空間は、蓋２０と支持フレーム１２とによって前述の放出口４を除いて閉じられた空間となっている。そして、放出口４は支持フレーム１２の側部に設けられている。車輪６の車軸５は軸受１４によって回転自在に支持されており、羽根車７はピン２１によって車軸５に固着されている（図６参照）。図１２に示されるように、車軸５は、たとえば、鉄などの金属からなるコア層５ａと、コア層５ａを被覆するたとえばＡＢＳ樹脂などの合成樹脂からなる第１被覆層５ｂと、第１被覆層５ｂを被覆するたとえばポリプロピレンなどの合成樹脂からなる第２被覆層５ｃとから構成されたものが、機械的強度および軽量化の観点から好適に採用されるが、かかる構成に限定されることはなく、たとえば、金属単体のみから構成されるもの、合成樹脂のみから構成されるもの、木材単体や木材と金属または合成樹脂との複合体から構成されるものも車軸５の素材として採用される。
【００１５】
羽根車７は、車軸５に同軸状に固定される円柱体８と、円柱体８の外周に設けられた複数の羽根９とからなり、複数の羽根９の先端が放出口４から容器１０の内部空間の外に突出する（図５参照）。
【００１６】
図６、７、８および９を参照すると、複数の羽根９は、円柱体８の外周に互いに離間して設けられた複数の羽根列９ａ、９ｂ、９ｃからなり、複数の羽根列９ａ、９ｂおよび９ｃがそれぞれ円周状に設けられた複数の羽根９から構成されている。
【００１７】
図６に示されているように、複数の羽根列９ａ、９ｂおよび９ｃの各羽根列９ａ、９ｂ、９ｃの軸方向の位置と複数のスリット３ａ、３ｂおよび３ｃの各スリット３ａ、３ｂおよび３ｃの位置とが一致している。これによって、隣合う羽根列（たとえば、羽根列９ａと羽根列９ｂ）間に挟まった紛体を削ぎ落とすことができるという利点がある。
【００１８】
図７および８を参照すると、羽根車７の羽根列９ａ、９ｂ、９ｃを構成する各羽根９の高さは同一である。すなわち、図７、８および９に示される羽車の羽根９は、いずれも前述の放出口４のスリット３ａ、３ｂ、３ｃ（図６参照）から突出する。なお、放出口４（すなわち、スリット）は、地面Ｅから所定の高さＨ（たとえば、地面Ｅから２０ｍｍ以上）に位置するように設けるのがよい（図５参照）。こうすることにより、雨中にラインを引く作業をした場合でも放出口４からの雨水の浸入を防止できるという利点がある。また、各羽根列（たとえば９ａ）を構成する羽根９の数は、図８には８つのもの、図９には１６のものが示されているが、これらに限定されることはなく、これら以外の数のものであってもよい。
【００１９】
つぎに、図１１および１２に示される羽根車７について説明する。図１１および図１２、羽根車７を構成する円柱体８を軸線方向に切断した半割構造体８ａを示している。この半割構造体８ａを二つ用意して、一方の半割構造体８ａの端部Ａと他方の反割構造体８ａの端部Ｂとを一致するように重ね合わせ（すなわち、一方の反割り構造体円筒体８ａの端部Ａ側の螺子孔２２と他方の反割構造体８ａの端部Ｂ側の螺子孔２３を一致させ）、ボルト・ナットにより互いに固着して、羽根車７を得るのである。こうして得られた羽根車７は、各羽根列９ａ、９ｂ、９ｃを構成する複数の羽根９、９、…のうち１本羽根９ｚの高さだけが高い。この羽根９ｚだけが、前述の放出口４のスリット３ａ、３ｂ、３ｃ（図６参照）から突出するのである。このように構成することにより、放出口４から放出される紛体の量が過大になることが回避でき、適量の紛体を放出することができるという利点がある。
【００２０】
つぎに、図３および４を参照すると、すでに述べた装置の駆動輪として機能する車輪６のほかに別途車輪２６を有している。図３および４に示された装置１の場合、容器１０と支持フレーム１２とを支持する軸受構造体２４に車軸２５が支持されており、この車軸２５に車輪２６が回転自在に設けられている。したがって、容器１０の容量を拡大できるという利点がある。図示された車輪２６は２輪であるが、２輪に限られることはなく、１輪であっても、３輪以上とすることも可能であり、このようなものも本考案に含まれる。
【図面の簡単な説明】
【００２１】
【図１】本考案の一実施の形態にかかわる装置を示す斜視図である。
【図２】図１の装置の断面説明図である。
【図３】本考案の他の実施の形態にかかわる装置を示す斜視図である。
【図４】図３の装置の断面説明図である。
【図５】図１および図３の装置の支持構造体を示す側断面説明図である。
【図６】図５の支持構造体の上面説明図である。
【図７】図１および図３の装置の羽根車の一例を示す斜視図である。
【図８】図７の羽根車の側面説明図である。
【図９】図１および図３の装置の羽根車の他の例を示す側面説明図である。
【図１０】図１および図３の装置の羽根車の他の例の構造を示す上面説明図である。
【図１１】図１０の羽根車の側面説明図である。
【図１２】車軸の断面構造の一例を示す説明図である。
【符号の説明】
【００２２】
１    装置
２    開口部
３ａ  スリット
３ｂ  スリット
３ｃ  スリット
４    放出口
５    車軸
６    車輪
７    羽根車
８    円筒体
９    羽根
９ａ  羽根列
９ｂ  羽根列
９ｃ  羽根列
１０    容器
１１    支持構造体
１２    支持フレーム
１４    軸受
２０    蓋
２１    ピン
２２    螺子孔
２３    螺子孔
【図１】
0003109884.tif 000003
【図２】
0003109884.tif 000004
【図３】
0003109884.tif 000005
【図４】
0003109884.tif 000006
【図５】
0003109884.tif 000007
【図６】
0003109884.tif 000008
【図７】
0003109884.tif 000009
【図８】
0003109884.tif 000010
【図９】
0003109884.tif 000011
【図１０】
0003109884.tif 000012
【図１１】
0003109884.tif 000013
【図１２】
0003109884.tif 000014